(57)【要約】【課題】家庭内で広く普及している家庭用テレビを利用してインターネットのブラウジングを行うことができる多機能通信端末装置を提供することを目的とするものである。【解決手段】電話手段と、ホームページアドレスを指示するホームページアドレス指示手段と、上記ホームページアドレス指示手段によって指示された情報に基づいて、上記ホームページアドレスのホームページ情報を取得する制御手段と、上記制御手段によって取得されたホームページ情報を、画像情報に変換する画像変換手段と、上記画像変換手段によって変換された画像情報を表示する画像表示手段と、上記画像変換手段によって得られた画像情報を、外部の表示装置に出力するためのビデオ信号に変換するビデオ信号生成出力手段とを有する多機能通信端末装置である。【選択図】  図１
2004193982.tif 000002
【特許請求の範囲】
【請求項１】
公衆回線を通じて、インターネットサーバと接続される多機能通信端末装置であって、
電話手段と；
ホームページアドレスを指示するホームページアドレス指示手段と；
上記ホームページアドレス指示手段によって指示された情報に基づいて、上記ホームページアドレスのホームページ情報を取得する制御手段と；
上記制御手段によって取得されたホームページ情報を、画像情報に変換する画像変換手段と；
上記画像変換手段によって変換された画像情報を表示する画像表示手段と；
上記画像変換手段によって得られた画像情報を、外部の表示装置に出力するためのビデオ信号に変換するビデオ信号生成出力手段と；
を有することを特徴とする多機能通信端末装置。
【発明の詳細な説明】
【０００１】
【発明の属する技術分野】
本発明は、インターネットブラウズ機能および電子メール送受信機能を有する多機能通信端末装置に関する。
【０００２】
【従来の技術】
これまで、インターネットを通じて、ＷＷＷサイトのブラウジングまたはＥ−ｍａｉｌ送受信を行う場合、ＰＣやＰＤＡ端末、ゲーム機等の端末を利用するか、または携帯電話キャリアが運営する携帯電話のためのインターネット接続サービスを利用する必要がある。
【０００３】
このために、ＷＷＷサイトのブラウジングとＥ−ｍａｉｌ送受信とは、特にお年寄り等に対して、一般的なものとは言えない。
【０００４】
しかし、ＮＴＴ（登録商標）東日本とＮＴＴ（登録商標）西日本とが、固定電話のためのインターネット情報サービスを開始し、これまでＥ−ｍａｉｌやインターネットブラウジングに無関係であった層の人々が、続々とその恩恵を受けつつある。
【０００５】
【発明が解決しようとする課題】
しかし、これらＮＴＴ（登録商標）東日本とＮＴＴ（登録商標）西日本とが実施するインターネット情報サービスの多機能通信端末装置の外観は、従来の家庭向けのコードレス電話付きファクシミリ装置とほぼ同様であり、僅かながらＬＣＤを大型化したものがほとんどである。
【０００６】
このために、Ｅ−ｍａｉｌの作成や閲覧、またＷＷＷブラウジングを行う場合、端末の前で装置本体の入力キーを操作し、また、端末に付属の大きさ・視認性とも十分とは言えないＬＣＤ上において内容確認をしなければならないというのが現状である。
【０００７】
しかし、Ｅ−ｍａｉｌ作成や、ＷＷＷ閲覧にかかる時間をはじめとして、端末の前で過ごさなければならない時間は、従来のファクシミリの使用時間に比べて非常に長くなる。
【０００８】
このために、快適にサービスを受けるためには、より快適な操作環境・閲覧環境が必要であり、これら環境の改善によって、継続的にサービスを利用するユーザが増えてくるものと予想されている。
【０００９】
このため、市場のみならず、サービスの拡大を目指すサービス提供会社からも、多機能通信端末装置の利便性の著しい向上が要請されている。
【００１０】
本発明は、家庭内で広く普及している家庭用テレビを利用してインターネットのブラウジングを行うことができる多機能通信端末装置を提供することを目的とするものである。
【００１１】
【課題を解決するための手段】
本発明は、公衆回線を通じて、インターネットサーバと接続される多機能通信端末装置であって、電話手段と、ホームページアドレスを指示するホームページアドレス指示手段と、上記ホームページアドレス指示手段によって指示された情報に基づいて、上記ホームページアドレスのホームページ情報を取得する制御手段と、上記制御手段によって取得されたホームページ情報を、画像情報に変換する画像変換手段と、上記画像変換手段によって変換された画像情報を表示する画像表示手段と、上記画像変換手段によって得られた画像情報を、外部の表示装置に出力するためのビデオ信号に変換するビデオ信号生成出力手段とを有する多機能通信端末装置である。
【００１２】
【発明の実施の形態および実施例】
図１は、本発明の一実施例である多機能通信端末装置１を示す概略図である。
【００１３】
図２は、多機能通信端末装置１を示すブロック図である。
【００１４】
マイクロプロセッサユニット（ＭＰＵ）１０１は、多機能通信端末装置全体を制御するマイクロプロセッサユニットであり、システムバス１０２を介して、多機能通信端末装置を制御する。本ＭＰＵによって、電話機能、ファクス機能、Ｅ−ｍａｉｌ機能、インターネットのブラウジング機能、電話／ファクス番号／Ｅ−ｍａｉｌアドレスを管理するアドレス帳機能等の各種サービス機能の動作制御が行われる。
【００１５】
ＲＯＭ１０３は、ＭＰＵの動作のためのインストラクション群等のプログラムコード、オペレーティングシステム（ＯＳ）プログラムコード、初期値データ、テーブルデータ等を格納しているＲＯＭである。
【００１６】
ＤＲＡＭ１０４は、データバッファとデータメモリ等に使用されるＤＲＡＭであり、通信部１２１と送受信する際のデータを、一時的に保持するバッファとして使用され、また、通信部１２１を介して、受信されたデータや、読取部１０６から読み取られた画像データを、ファイルとして蓄積するメモリとして使用されている。ＤＲＡＭ１０４は、バッテリバックアップによって、停電等の不慮の障害などから保護されている。
【００１７】
ＳＲＡＭ１０５は、ユーザ登録データエリア、ワークエリア等に使用されているＳＲＡＭであり、バッテリバックアップによって、停電等の不慮の障害等から保護されている。
【００１８】
読取部１０６は、密着型イメージセンサ１０７、読取画像補正部１０８、読取画像処理部１０９、読取駆動部１１０、ＳＲＡＭ１１１、読取点灯制御部１３７等によって構成されている。
【００１９】
読取駆動部１１０によって搬送された原稿は、密着型イメージセンサ１０７内部のＬＥＤ光源の点灯時に、密着イメージセンサ１０７内部のフォトセンサによって、光学的に読み取られ、電気的な画像信号に変換する。この画像信号は、読取画像補正部１０８によって、シェーディング補正等を施され、読取画像処理部１０９によって、ガンマ処理、２値化処理、中間調処理、およびＲＧＢからＣＭＹＫに変換する色変換処理等を施され、高精細な画像データを出力する。ＳＲＡＭ１１１は、画像処理を行う際のバッファとして使用される。
【００２０】
なお、本実施例における読取部１０６は、原稿を搬送しながら読み取りを行うシート読み取り制御としているが、原稿台に存在している原稿をスキャンするブック読み取り制御であってもよい。
【００２１】
また、本実施例における光源としては、密着型イメージセンサを用いているが、ＣＣＤ等の他の光源を使用するようにしてもよい。
【００２２】
記録部１１２は、ＳＲＡＭ１１１、記録データ復号化部１１３、記録画像処理部１１４、記録制御用ワンチップマイコン１１５、インクジェットプリンタエンジン１１６、記録インタフェース部１１７等によって構成されている。
【００２３】
記録データ復号化部１１３は、ランレングス（ＲＬ）形式の画像データを、生画像（ＲＡＷ）データにデータ変換する。
【００２４】
記録画像処理部１１４は、走査解像度８ｐｅｌ／ｍｍまたは１６ｐｅｌ／ｍｍの生画像データを、プリンタの主走査解像度７２０ｄｐｉ（ｄｏｔ  ｐｅｒ  ｉｎｃｈ）の生画像データに変換する解像度変換、画像の変倍、スムージング、濃度補正等の各種画像処理を施し、高精細な画像データに変換し、インクジェットプリンタエンジン１１６に出力する。
【００２５】
記録制御用ワンチップマイコン１１５は、記録部１１２の各動作の制御を行う記録制御用ＭＰＵ、記録制御を行う各種インストラクションを記述したＲＯＭ、ＲＯＭからインストラクションを読み出す手段、読み出したインストラクションを処理する処理手段、処理手段が必要とする情報を記憶するための入力が可能なＲＡＭ、処理手段によって作り出された信号を出力する出力手段等によって構成され、これらの相互作用によって、インクジェットプリンタエンジン１１６を記録制御する信号の入出力が行われる。
【００２６】
インクジェットプリンタエンジン１１６は、画像情報に応じて、インクを記録媒体に吐出し、記録する。吐出口には、ピエゾ振動子やヒータを有する記録ヘッドを用い、機械的圧力または熱による発泡現象によって、インクを直接記録媒体上へ吐出し、画像を形成する。なお、本実施例における記録部１１２は、インクジェットプリンタによって構成されているが、レーザプリンタ等のページプリンタによって構成するようにしてもよい。
【００２７】
記録インタフェース部１１７は、記録制御用ワンチップマイコン１１５とＭＰＵ１０１との間で連携をとるインタフェースである。
【００２８】
操作部１１８は、電話番号、Ｅ−ｍａｉｌ、Ｅ−ｍａｉｌアドレスの入力、またＷＷＷサーバアドレスの入力、データ登録、設定のとき等に用いる文字／数字入力キー１１８ａ、各種機能を利用するためのファンクションキー１１８ｂ、電話番号・Ｅ−ｍａｉｌアドレス・ＷＷＷサイトアドレスを登録するための複数の短縮ダイヤル選択キー１１８ｃ（不図示）、コピーやＦＡＸ動作を起動するためのスタートキー１１８ｄ、登録や設定を中止するときに用いるストップキー１１８ｇ、各種登録、設定を確定させるセットキー１１８ｈ、Ｅ−ｍａｉｌおよびＷＷＷブラウジング機能を選択するためのインターネット機能選択キー１１８ｊ、インターネット機能使用時にメニュー画面のメニュー選択を行うためのカーソルキー１１８ｋ等、各種キースイッチ等によって構成され、多機能通信端末装置１の動作指示および各種情報の入力を行う。
【００２９】
表示部１１９は、タッチスクリーン液晶によって構成され、通信状況の確認やデータの登録、設定、確認メッセージ等、各種メッセージの表示、Ｅ−ｍａｉｌやインターネットのＷｅｂサイトの内容を示す文字または図形の表示に加えて、液晶表示される所定のメニュー領域をタッチペンまたは指先でタッチし、所望メニューを選択入力することができ、また、手書き入力が可能である。
【００３０】
また、表示部１１９は、１つの文字を認識するための所定数のセルに分割された図示しない文字認識パネルを備え、タッチペン等で筆記した文字位置情報データを出力し、文字認識が可能である。
【００３１】
キーインタフェース部１２０は、ＭＰＵ１０１と操作部１１８との連携を取るインタフェースである。
【００３２】
表示インタフェース部１３９は、ＭＰＵ１０１と表示部１１９との連携を取るインタフェースであり、タッチスクリーン液晶へのタッチ入力、手書き入力および文字認識のための筆記文字の位置情報データを示すアナログデータは、本インタフェースにおいて、デジタル信号に変換される。
【００３３】
フレームバッファ１４０は、表示用のバッファメモリとして使用される。
【００３４】
通信部１２１は、ＤＳＵ（回線接続装置）、ＮＣＵ（網制御装置）等の通信接続部１２２、モデム（変復調装置）等の通信制御部１２３によって構成され、ＰＳＴＮ回線・ＩＳＤＮ回線等の通信網１２４に接続して、ＦＡＸおよびＤＡＴＡの通信制御、通信回線に対する発呼および着呼等の回線制御を行うものである。また、通信部１２１は、電話機１２５を接続し、通信やＤＴＭＦリモート制御等を行うことも可能である。
【００３５】
音響装置１２６は、エラー状態を示す音響、動作終了を示す音響、操作を促す音響等を鳴らすためのスピーカ等によって構成され、各種状態を音響によってオペレータに通知するものである。
【００３６】
不揮発性記憶装置１２８は、画像情報等の保存に使用される大容量の不揮発性のメモリであり、電源が切れても情報が消えることがなく、消去命令があった場合に消去されるものであり、コンパクトフラッシュ（登録商標）やスマートカード、メモリスティック等のメモリカード、またはハードディスクや光ディスク、磁気ディスクおよびそれらのドライブ等で構成されている。
【００３７】
ＭＨ、ＭＲ、ＭＭＲ、ＪＰＥＧ、ＴＩＦＦ符号等の画像データの符号化・復号化を行うための画像符号／復号部１２９は、画像復号化部１２９ａ、画像符号化部１２９ｂ、内部ＳＲＡＭ１２９ｃによって構成されている。
【００３８】
電源１３０は、本多機能通信端末装置に電源を供給する電源である。
【００３９】
外部モニタインタフェース部１３１は、ＲＧＢビデオ情報から輝度信号および色差信号を生成する輝度／色差信号生成部１３１ａ、同期信号を発生する同期信号発生器１３１ｂ、カラー信号色差信号復調時に位相の標準とするためのカラーバースト信号生成部１３１ｃ、輝度信号、同期信号、カラーバースト信号を合成し、コンポジット信号を生成するコンポジット信号生成部１３１ｄ、コンポジット信号をＤ／Ａ変換してアナログ信号に変換するＤ／Ａ変換部１３１ｅによって構成され、表示部１１９のタッチスクリーン液晶に表示されている画像情報を、ＮＴＳＣ等の複合ビデオ信号に変換し、外部モニタ信号出力端子１３１ｆから外部のテレビジョン等の表示装置に出力する。
【００４０】
無線送受信部１３３は、コードレス電話子機２を含む複数台のコードレス電話子機と無線接続し、コードレス電話子機２から親機、コードレス電話子機２からその他のコードレス子機、またコードレス電話子機２から一般公衆回線上に接続されたその他の端末に無線通信を可能とする。
【００４１】
ここで、無線送受信部１３３は、アンテナ１３４、アンテナ共有器１３５、送信部１３６、受信部１３８によって構成されている。送信部１３６は、ＬＰＦ（ローパスフィルタ）１３６ａによって、データ信号の高周波成分を除去し、合成器１３６ｂによって、音声信号と高周波除去されたデータ信号とを合成し、合成された信号を、変調器１３６ｃがＦＭ変調し、ＦＭ変調された高周波信号を高周波増幅器１３６ｄが増幅し、アンテナ共有器１３５を介して、アンテナ１３４から無線送信する。
【００４２】
受信部１３８は、アンテナ１３４と共用器１３５とを介して入力された高周波信号を、ＢＰＦ（バンドパスフィルタ）１３８ａにおいて雑音除去し、高周波増幅器１３８ｂが所定信号レベルまで増幅した後に、復調器１３８ｃが復調する。復調された信号は、ＬＰＦ（ローパスフィルタ）１３８ｄとＢＰＦ（バンドパスフィルタ）１３８ｅとに入力され、それぞれが、データ信号、音声信号を抽出する。
【００４３】
なお、上記輝度／色差信号生成部１３１ａ、同期信号発生器１３１ｂ、カラーバースト信号生成部１３１ｃ、コンポジット信号生成部１３１ｄ、Ｄ／Ａ変換部１３１ｅ、アンテナ共有器１３５、送信部１３６、受信部１３８、ＬＰＦ１３６ａ、合成器１３６ｂ、変調器１３６ｃ、高周波増幅器１３６ｄ、ＢＰＦ１３８ａ、高周波増幅器１３８ｂ、復調器１３８ｃ、ＬＰＦ１３８ｄ、ＢＰＦ１３８ｅは、符号を付してあるが、図面を添付していない。
【００４４】
図３は、上記実施例におけるコードレス電話子機２の概略を示す図である。
【００４５】
図４は、上記実施例における概略ブロックを示す図である。
【００４６】
コードレス電話子機２には、把持部２１２に操作部２１４が配置され、操作部２１４の下方に送話部２１６が配置され、操作部２１４上方に表示部２１５が配置され、その上方に受話部２１８が配置され、底部に充電端子２２０（不図示）が配置され、頂部にアンテナ２２２が配置されている。
【００４７】
操作部２１４には、電話番号やＥ−ｍａｉｌおよびＥ−ｍａｉｌアドレスの入力、またＷＷＷサーバアドレスの入力、データ登録、設定のとき等に用いる文字／数字入力キー２１４ａ、各種機能を利用するためのファンクションキー２１４ｂ、登録や設定の中止をするときに用いるストップキー２１４ｇ、各種登録、設定を確定させるためのセットキー２１４ｈ、Ｅ−ｍａｉｌおよびＷＷＷブラウジング機能を選択するインターネット機能選択キー２１４ｊ、インターネット機能使用時にメニュー画面のメニュー選択を行うカーソルキー兼電話番号・Ｅ−ｍａｉｌアドレス・ＷＷＷサイトアドレスを登録するための複数の短縮ダイヤル選択キー２１４ｋ等の各種キースイッチ等が配置され、コードレス電話子機２の動作指示に加え、多機能通信端末装置１の動作指示と各種情報との入力を行う。
【００４８】
ワンチップマイコン２２３は、ＭＰＵ、ＲＯＭ、ＳＲＡＭ等から構成され、操作部２１４からのキー入力に対応して、キー情報を出力する機能を有するとともに、子機２全体の制御を行う。
【００４９】
送信部２２４では、まず、キー信号等のデータ信号の高調波成分を、ＬＰＦ（ローパスフィルタ）２２４ａによって除去し、この除去されたデータ信号と、送話部２１６から入力された音声信号とを合成器２２４ｂによって合成した後に、搬送波発生器２２４ｅで発生させた搬送波に重畳し、変調器２２４ｃによってＦＭ変調する。このＦＭ変調された高周波信号を、高周波増幅器２２４ｄで増幅した後に、アンテナ共有器２２１を介して、アンテナ２２２から無線送信する。
【００５０】
受信部２２５では、アンテナ２２２とアンテナ共用器２２１とを介して入力された高周波信号を、ＢＰＦ（バンドパスフィルタ）２２５ａによって雑音除去し、高周波増幅器２２５ｂによって、所定信号レベルまで増幅した後に、復調器２２５ｃによって復調する。復調された信号は、ＬＰＦ（ローパスフィルタ）２２５ｄとＢＰＦ（バンドパスフィルタ）２２５ｅとに入力され、それぞれに、データ信号と音声信号とを抽出する。
【００５１】
データ信号は、ワンチップマイコン２２３に入力され、データ処理され、音声信号は受話部２１８に送られ、ユーザが聴ける状態になる。
【００５２】
次に、コードレス子機２によってＥ−ｍａｉｌ入力から送信動作を行う場合について説明する。
【００５３】
図５は、上記実施例において、本操作時の表示部１１９における画面表示を示す図である。
【００５４】
まず、コードレス子機２の操作部２１４上のインターネット機能選択キー２１４ｊを押下する。この押下によって、表示部１１９上に“インターネットトップメニュー”が表示される。この“インターネットトップメニュー”上には少なくとも“Ｅ−ｍａｉｌ”・“ＷＷＷブラウジング”の各ボタンが配置され、メニューを見ながらカーソルキー２１４ｋを押下することによって、所望の項目ボタンにカーソルキー２１４ｋを移動することができる。
【００５５】
カーソルキー２１４ｋを移動し、“Ｅ−ｍａｉｌ”ボタンを選択し、セットキー２１４ｈを押下すると“Ｅ−ｍａｉｌトップメニュー”が表示される。“Ｅ−ｍａｉｌトップメニュー”上には、“受信メール一覧”・“送信メール一覧”・“未送信メール一覧”・“新規メール作成”・“メール受信”の各ボタンが配置され、メニューを見ながらカーソルキー２１４ｋを押下することによって、所望の項目ボタンに、カーソルキー２１４ｋを移動することができる。
【００５６】
カーソルキー２１４ｋを移動し、“新規メール作成”ボタンを選択し、セットキー２１４ｈを押下すると、Ｅ−ｍａｉｌ送信先の入力欄、題名入力欄、本文入力欄が表示される。それぞれの欄は、カーソルキー２１４ｋで移動可能であり、数字／文字入力キー２１４ａとファンクションキー２１４ｂとを組み合わせて入力する。
【００５７】
入力の後に、セットキー２１４ｈを押下すると“入力メール処理メニュー”が表示される。“入力メール処理メニュー”には、“送信”・“保存”・“キャンセル”・“戻る”の各ボタンが配置され、メニューを見ながら、カーソルキー２１４ｋを押下することによって、所望の項目ボタンに、カーソルキー２１４ｋを移動することができる。
【００５８】
ここで、他の新規メールをまとめて送信したい場合、カーソルキー２１４ｋを移動し、“保存”ボタンを選択し、セットキー２１４ｈを押下する。これによって、未送信メールとして保存される。直ちに送信したい場合、カーソルキー２１４ｋを移動し、“送信”ボタンを選択し、セットキー２１４ｈを押下する。これによって、送信指示が確定する。
【００５９】
送信が確定すると、多機能通信端末１は、一般公衆回線を通じ、インターネットゲートウェイ（不図示）に接続する。接続が確立した後に、所定のパケットを流し、予め定められたＥ−ｍａｉｌ送信サーバ宛てに、所望のＥ−ｍａｉｌのパケットを送信する。
【００６０】
次に、コードレス子機２によってＥ−ｍａｉｌ受信動作を行う場合について説明する。
【００６１】
図６は、本操作時の表示部１１９における画面表示を示す図である。
【００６２】
まず、コードレス子機２の操作部２１４上のインターネット機能選択キー２１４ｊを押下する。これによって、表示部１１９上に、“インターネットトップメニュー”が表示される。カーソルキー２１４ｋを移動して“Ｅ−ｍａｉｌ”ボタンを選択し、セットキー２１４ｈを押下すると、“Ｅ−ｍａｉｌトップメニュー”が表示される。カーソルキー２１４ｋを移動し、“メール受信”ボタンを選択し、セットキー２１４ｈを押下する、受信指示が確定する。
【００６３】
受信が確定すると、多機能通信端末１は、一般公衆回線を通じ、インターネットゲートウェイ（不図示）に接続する。接続が確立した後に、所定のパケットを流し、予め定められたＥ−ｍａｉｌ受信サーバから、自分宛てのＥ−ｍａｉｌのパケットを受信する。
【００６４】
カーソルキー２１４ｋを移動し、“受信メール一覧”ボタンを選択、セットキー２１４ｈを押下すると“受信メール一覧”が表示される。カーソルキー２１４ｋを移動し、所望のＥ−ｍａｉｌを探し出し、セットキー２１４ｈを押下すると所望の受信メールの内容が表示される。
【００６５】
次に、コードレス子機２によってＷＷＷブラウジング動作を行う場合について説明する。
【００６６】
図７は、操作時の表示部１１９における画面表示を示す図である。
【００６７】
まず、コードレス子機２の操作部２１４上のインターネット機能選択キー２１４ｊを押下する。これによって、表示部１１９上に“インターネットトップメニュー”が表示される。カーソルキー２１４ｋを移動して“ＷＷＷブラウジング”ボタンを選択しセットキー２１４ｈを押下すると、Ｗｅｂサーバアドレスの入力欄が表示される。数字／文字入力キー２１４ａとファンクションキー２１４ｂとを組み合わせ、所望のＷｅｂサーバに対応するＩＰアドレスと閲覧希望のＨＴＭＬファイル名とを入力し、セットキー２１４ｈを押下して入力を確定する。
【００６８】
入力が確定すると、多機能通信端末１は、一般公衆回線を通じ、インターネットゲートウェイ（不図示）に接続する。接続が確立した後に、所定のパケットを流し、指定したＩＰアドレスに対応するＷｅｂサーバから指定したＨＴＭＬファイルの内容のパケットを受信する。
【００６９】
ここで、上記アドレス入力欄には、Ｗｅｂサーバに対応するＩＰアドレスを入力するように記述したが、ドメイン名＋サーバ名の組み合わせであってもよい。この場合、予め定められたＤＮＳサーバにドメイン＆サーバ名の問い合わせを行い、ドメイン＆サーバ名に対応するＩＰアドレスを認識する手順が加わることになる。
【００７０】
上記のＥ−ｍａｉｌ機能と、ＷＷＷブラウジング機能との説明では、多機能通信端末の表示部１１９の画面に表示されるメニュー画面に基づいて説明した。しかし、ＴＶ等の外部モニタを多機能通信端末の外部モニタ信号出力端子１３１ｆに接続すれば、それらを表示装置として使用することができる。この場合の表示動作について説明する。
【００７１】
表示画面のための表示バッファは、表示部１１９と同一のフレームバッファ１４０を利用する。フレームバッファには、ＲＧＢ形式でビデオ信号が格納され、このＲ・Ｇ・Ｂの各信号から明るさを表す輝度信号（Ｙ）と、輝度信号とＢおよびＲとの差である色差信号（ＣＢ、ＣＲ）を、輝度／色差信号生成部１３１ａが演算によって生成する。
【００７２】
一方、同期信号発生器１３１ｂが水平同期信号と垂直同期信号を生成し、カラーバースト信号生成部１３１ｃがカラーバースト信号を生成する。カラーバースト信号は、カラー信号色差信号を復調するための位相標準となる。これら輝度信号、色差信号、水平同期信号、垂直同期信号、カラーバースト信号を、コンポジット信号生成部１３１ｄにおいて合成し、デジタル的なコンポジットビデオ信号とした後に、Ｄ／Ａ変換部１３１ｅがアナログコンポジットビデオ信号に変換する。この信号を、外部モニタ信号出力端子１３１ｆに接続されたＴＶ等の外部モニタに入力することによって、表示部１１９と同一画面を、たとえば２５インチの大きさの４：３のＴＶ受像機にフルサイズで表示することが可能である。
【００７３】
上記実施例によれば、多機能通信端末が公衆回線を通じてインターネットサーバと接続され、電話手段と、ホームページアドレス指示手段と、上記ホームページアドレス指示手段によって指示された情報に基づいて上記ホームページアドレスのホームページ情報を取得する制御手段と、上記制御手段によって取得したホームページ情報を画像情報に変換する画像変換手段と、上記画像変換手段によって得られた画像情報を表示する画像表示手段と、上記画像変換手段によって得られた画像情報を外部の表示装置に出力するビデオ信号に変換するビデオ信号生成出力手段とを有するので、家庭内で広く普及している家庭用テレビを利用して、インターネットのブラウジングを行うことができる。
【００７４】
また、上記実施例によれば、上記端末のコードレス電話子機として、電話機能とホームページアドレス指示手段とを有するので、ホームページ閲覧のための操作をコードレス電話子機から実行することができ、これによって、多機能通信端末の前で操作・確認を行わなくても、家庭用テレビの画面を確認することができる範囲の場所で、しかも、コードレス電話子機の電話が届く範囲の場所で、自由な姿勢によって、インターネットのブラウジングが可能になる。
【００７５】
さらに、上記実施例によれば、多機能通信端末が公衆回線を通じてインターネットサーバと接続され、電話手段と、電子メール入力手段と、電子メール送受信手段と、上記電子メール送受信手段によって受信した電子メール情報と、送信のための電子メール情報を画像情報に変換する画像変換手段と、上記画像変換手段によって得られた画像情報を表示する画像表示手段と、上記画像変換手段によって得られた画像情報を、外部の表示装置に出力するビデオ信号に変換するビデオ信号生成出力手段とを有するので、家庭内で広く普及している家庭用テレビを利用して電子メールを操作することができる。
【００７６】
そして、上記端末のコードレス電話子機として、電話機能と、電子メール入力手段と、電子メール送受信指示手段とを有するので、電子メール入力・送信・受信・閲覧のための操作を、コードレス電話子機から実行することができ、これによって、多機能通信端末の前で操作、確認を行わなくても、家庭用テレビの画面を確認することができる範囲の場所で、しかも、コードレス電話子機の電話が届く範囲の場所で、自由な姿勢によって、インターネットのブラウジングが可能になる。
【００７７】
また、上記実施例は、次の実施態様として把握することができる。
【００７８】
［実施態様１］  公衆回線を通じて、インターネットサーバと接続される多機能通信端末装置であって、
電話手段と；
ホームページアドレスを指示するホームページアドレス指示手段と；
上記ホームページアドレス指示手段によって指示された情報に基づいて、上記ホームページアドレスのホームページ情報を取得する制御手段と；
上記制御手段によって取得されたホームページ情報を、画像情報に変換する画像変換手段と；
上記画像変換手段によって変換された画像情報を表示する画像表示手段と；
上記画像変換手段によって得られた画像情報を、外部の表示装置に出力するためのビデオ信号に変換するビデオ信号生成出力手段と；
を有することを特徴とする多機能通信端末装置。
【００７９】
［実施態様２］  実施態様１において、
電話手段と、ホームページアドレス指示手段とを有する子機端末に無線接続されることを特徴とする多機能通信端末装置。
【００８０】
［実施態様３］  公衆回線を通じてインターネットサーバと接続される多機能通信端末装置であって、
電話手段と；
電子メール入力手段と；
電子メール送受信手段と；
上記電子メール送受信手段が受信した電子メール情報と、送信のための電子メール情報とを画像情報に変換する画像変換手段と；
上記画像変換手段が変換した画像情報を表示する画像表示手段と；
上記画像変換手段が変換した画像情報を外部の表示装置に出力するビデオ信号に変換するビデオ信号生成出力手段と；
を有することを特徴とする多機能通信端末装置。
【００８１】
［実施態様４］  実施態様３において、
電話手段と、電子メール入力手段と、電子メール送受信指示手段とを有する子機端末に無線接続されることを特徴とする多機能通信端末装置。
【００８２】
【発明の効果】
本発明によれば、多機能通信端末が公衆回線を通じてインターネットサーバと接続され、電話手段と、ホームページアドレス指示手段と、上記ホームページアドレス指示手段によって指示された情報に基づいて上記ホームページアドレスのホームページ情報を取得する制御手段と、上記制御手段によって取得したホームページ情報を画像情報に変換する画像変換手段と、上記画像変換手段によって得られた画像情報を表示する画像表示手段と、上記画像変換手段によって得られた画像情報を外部の表示装置に出力するビデオ信号に変換するビデオ信号生成出力手段とを有するので、家庭内で広く普及している家庭用テレビを利用してインターネットのブラウジングを行うことができるという効果を奏する。
【図面の簡単な説明】
【図１】本発明の一実施例である多機能通信端末装置１を示す概略図である。
【図２】多機能通信端末装置１を示すブロック図である。
【図３】上記実施例におけるコードレス電話子機２の概略を示す図である。
【図４】上記実施例における概略ブロックを示す図である。
【図５】上記実施例において、本操作時の表示部１１９における画面表示を示す図である。
【図６】本操作時の表示部１１９における画面表示を示す図である。
【図７】操作時の表示部１１９における画面表示を示す図である。
【符号の説明】
１０１…マイクロプロセッサユニット、
１０２…システムバス、
１０３…ＲＯＭ、
１０４…ＤＲＡＭ、
１０５…ＳＲＡＭ、
１０６…読取部、
１０７…密着型イメージセンサ、
１０８…読取画像補正部、
１０９…読取画像処理部、
１１０…読取駆動部、
１１２…記録部、
１１３…記録データ復号化部、
１１４…記録画像処理部、
１１５…記録制御用ワンチップマイコン、
１１６…インクジェットプリンタエンジン、
１１７…記録インタフェース部。
【図１】
2004193982.tif 000003
【図２】
2004193982.tif 000004
【図３】
2004193982.tif 000005
【図４】
2004193982.tif 000006
【図５】
2004193982.tif 000007
【図６】
2004193982.tif 000008
【図７】
2004193982.tif 000009